(57)【要約】【課題】パン生地を効率的に練ることができる自動製パン機を提供する。【解決手段】自動製パン機は、機器本体の内部に設けられた焼成室内に収納され、調理材料が入れられる調理容器と、調理容器内で練り軸を回転中心として回転することにより、調理容器内に入れられた調理材料を混練する練り羽根と、を備え、練り羽根は、第１の壁と、第１の壁の外側にある第２の壁とを有し、第１の壁は、頂部とその両側に傾斜部を有した山形状であり、頂部の高さ位置と、練り軸側の傾斜部との間には、パン生地を通過させるための空間部が形成される。【選択図】図１３
2014087638.tif 000002
【特許請求の範囲】
【請求項１】
機器本体の内部に設けられた焼成室内に収納され、調理材料が入れられる調理容器と、
調理容器内で練り軸を回転中心として回転することにより、調理容器内に入れられた調理材料を混練する練り羽根と、を備え、
練り羽根は、第１の壁と、第１の壁の外側にある第２の壁とを有し、
第１の壁は、頂部とその両側に傾斜部を有した山形状であり、頂部の高さ位置と、練り軸側の傾斜部との間には、パン生地を通過させるための空間部が形成される、自動製パン機。
【請求項２】
第１の壁の外向き方向の長さのうち、練り軸側の傾斜部が占める長さの割合は１／３以上である、請求項１に記載の自動製パン機。
【請求項３】
第１の壁における練り軸側の傾斜部は曲線状である、請求項１又は２に記載の自動製パン機。
【請求項４】
第１の壁における練り軸側の傾斜部の水平方向に対する傾斜角度は上方にいくほど大きくなる、請求項３に記載の自動製パン機。
【請求項５】
第１の壁の外向き方向の長さのうち、練り軸と反対側の傾斜部が占める長さの割合は１／３以上である、請求項１から４のいずれか１つに記載の自動製パン機。
【請求項６】
第２の壁は、第１の壁から練り羽根の回転方向とは逆方向に折れ曲がっている、請求項１から５のいずれか１つに記載の自動製パン機。
【請求項７】
練り羽根の外向き方向の長さのうち、第２の壁が占める長さの割合は１／４以下である、請求項６に記載の自動製パン機。
【発明の詳細な説明】
【技術分野】
【０００１】
本発明は、主として一般家庭で使用される自動製パン機に関する。
【背景技術】
【０００２】
近年、米粒などの穀物粒から直接パンを製造する自動製パン機が普及してきている。この種の自動製パン機としては、例えば、特許文献１（特開２０１１−４５４１４号公報）に開示されたものがある。
【０００３】
特許文献１には、調理容器の底部に設けたブレード回転軸と、ブレード回転軸に対し回転不能に取り付けられた粉砕ブレード（ミル羽根ともいう）と、混練ブレード（練り羽根ともいう）を備えたドーム状カバーと、ドーム状カバーとブレード回転軸とを連結又は非連結状態にするクラッチとを備える自動製パン機が開示されている。
【０００４】
特許文献１の自動製パン機においては、クラッチによりドーム状カバーとブレード回転軸とが非連結状態にされた状態でブレード回転軸が回転されたとき、粉砕ブレードのみが回転する。この粉砕ブレードの回転により、調理容器に入れられた穀物粒を粉砕して製パン原料を製造することができる。一方、クラッチによりドーム状カバーとブレード回転軸とが連結状態にされた状態でブレード回転軸が回転されたとき、粉砕ブレード及び混練ブレードが回転する。この粉砕ブレード及び混練ブレードの回転により、調理容器内の製パン原料とドライイーストなどの副材料とを混練してパン生地を製造することができる。特許文献１の自動製パン機は、このようにして製造したパン生地を調理容器内に入れたまま焼成することにより、パンを焼き上げるように構成されている。
【先行技術文献】
【特許文献】
【０００５】
【特許文献１】特開２０１１−４５４１４号公報
【発明の概要】
【発明が解決しようとする課題】
【０００６】
しかしながら、特許文献１の自動製パン機においては、調理容器内の製パン原料と副材料とを混練してパン生地を製造する際、調理容器の内側面に押し当てる動作が主になる。これにより、製パン原料とドライイースト副材料の混練が不十分で、内部まで均一に混ざらないことがあり、またパン生地が丸くならず、見栄えの良いパンが作れないことがあった。このように、パン生地を効率的に練るという点に関して未だ改善の余地があった。
【０００７】
本発明の目的は、前記課題を解決することにあって、パン生地を効率的に練ることができる自動製パン機を提供することにある。
【課題を解決するための手段】
【０００８】
前記目的を達成するために、本発明は以下のように構成する。
【０００９】
本発明の自動製パン機は、機器本体の内部に設けられた焼成室内に収納され、調理材料が入れられる調理容器と、
調理容器内で練り軸を回転中心として回転することにより、調理容器内に入れられた調理材料を混練する練り羽根と、を備え、
練り羽根は、第１の壁と、第１の壁の外側にある第２の壁とを有し、
第１の壁は、頂部とその両側に傾斜部を有した山形状であり、頂部の高さ位置と、練り軸側の傾斜部との間には、パン生地を通過させるための空間部が形成される。
【発明の効果】
【００１０】
本発明によれば、練り羽根の第１の壁において、頂部の高さ位置と、練り軸側の傾斜部との間にパン生地を通過させるための空間部が形成されることにより、パン生地を調理容器の内壁面に押しつけて伸ばして練るだけでなく、空間部を通過させることで回転させながら練ることができる。これにより、パン生地を効率的に練ることができる。
【図面の簡単な説明】
【００１１】
【図１】本発明の実施形態にかかる自動製パン機の斜視図である。
【図２】図１の自動製パン機の蓋体を開けた状態を示す斜視図である。
【図３】図１の自動製パン機の断面図である。
【図４】図１の自動製パン機のインバータモータに関連する部品の構成を示す断面図である。
【図５】図１の自動製パン機が備える羽根ユニットの斜視図である。
【図６】図４のインバータモータの出力軸が正方向に回転したときに同様に正方向に回転する部品を示す断面図である。
【図７】図４のインバータモータの出力軸が逆方向に回転したときに同様に逆方向に回転する部品を示す断面図である。
【図８】ドーム状カバーに対するミル羽根の相対位置を示す底面図である。
【図９Ａ】ミル羽根の斜視図である。
【図９Ｂ】ミル羽根の側面図である。
【図９Ｃ】ミル羽根の側面図である。
【図１０】本発明の実施形態の変形例に係るミル羽根の応力分布を示す図である。
【図１１】従来のミル羽根の応力分布を示す図である。
【図１２】練り羽根の上面図である。
【図１３】練り羽根の側面図である。
【図１４】練り羽根の上面図である。
【図１５】図１２におけるＡ−Ａ沿いの練り羽根の断面図である。
【図１６】本発明の実施形態にかかる自動製パン機によって実行される米粒用製パンコースの流れを示す模式図である。
【図１７】図１６の米粒用製パンコースの練り工程における、好ましい練り羽根の回転数の変化を示すグラフである。
【発明を実施するための形態】
【００１２】
第１の発明は、機器本体の内部に設けられた焼成室内に収納され、調理材料が入れられる調理容器と、調理容器内で練り軸を回転中心として回転することにより、調理容器内に入れられた調理材料を混練する練り羽根と、を備え、練り羽根は、第１の壁と、第１の壁の外側にある第２の壁とを有し、第１の壁は、頂部とその両側に傾斜部を有した山形状であり、頂部の高さ位置と、練り軸側の傾斜部との間には、パン生地を通過させるための空間部が形成される、自動製パン機である。これにより、練り羽根の第１の壁において、頂部の高さ位置と、練り軸側の傾斜部との間にパン生地を通過させるための空間部が形成されることにより、パン生地を調理容器の内壁面に押しつけて伸ばして練るだけでなく、空間部を通過させることで回転させながら練ることができる。これにより、パン生地を効率的に練ることができる。
【００１３】
第２の発明は、特に第１の発明の第１の壁の外向き方向の長さのうち、練り軸側の傾斜部が占める長さの割合は１／３以上である。これにより、第１の壁における練り軸側の傾斜部が占める長さの割合を所定の割合以上に設定することにより、傾斜部上の空間部の大きさを確保して、パン生地の回転を促進することができる。
【００１４】
第３の発明は、特に第１又は第２の発明の第１の壁における練り軸側の傾斜部は曲線状である。これにより、第１の壁における練り軸側の傾斜部を曲線状とすることにより、パン生地が空間部を通過する際に傷むことを防止しながら、パン生地を回転させて練ることができる。
【００１５】
第４の発明は、特に第３の発明の第１の壁における練り軸側の傾斜部の水平方向に対する傾斜角度は上方にいくほど大きくなる。これにより、第１の壁における練り軸側の傾斜部の形状を工夫することにより、傾斜部上の空間部の大きさを確保して、パン生地の回転を促進することができる。
【００１６】
第５の発明は、特に第１から第４のいずれか１つの発明の第１の壁の外向き方向の長さのうち、練り軸と反対側の傾斜部が占める長さの割合は１／３以上である。これにより、第１の壁における練り軸と反対側の傾斜部が占める長さの割合を所定の割合以上に設定することにより、パン生地の伸ばしと回転をバランス良く行うことができ、より効率的にパン生地を練ることができる。
【００１７】
第６の発明は、特に第１から第５のいずれか１つの発明の第２の壁は、第１の壁から練り羽根の回転方向とは逆方向に折れ曲がっている。これにより、第２の壁が第１の壁から練り羽根の回転方向とは逆方向に折れ曲がっていることにより、パン生地を調理容器の内壁面に押しつけやすくなるため、パン生地をより効率的に練ることができる。
【００１８】
第７の発明は、特に第６の発明の練り羽根の外向き方向の長さのうち、第２の壁が占める長さの割合は１／４以下である。これにより、練り羽根における第２の壁が占める長さの割合を所定の割合以下に設定することにより、パン生地の伸ばしと回転をバランス良く行いながらパン生地を練ることができ、パン生地を効率的に練ることができる。
【００１９】
以下、本発明の実施形態について、図面を参照しながら説明する。
【００２０】
《実施形態》
本発明の実施形態にかかる自動製パン機の全体構成について説明する。図１は、本実施形態にかかる自動製パン機の斜視図であり、図２は、当該自動製パン機の蓋体を開けた状態を示す斜視図である。図３は、本実施形態にかかる自動製パン機の断面図である。図４は、本実施形態にかかる自動製パン機の一部拡大断面図である。
【００２１】
図１〜３において、本実施形態にかかる自動製パン機１は、略直方体形状の機器本体１０を備えている。機器本体１０の上面の一部には、操作部２０が設けられている。
【００２２】
操作部２０は、操作キー群と、表示部とによって構成されている。操作キー群には、例えば、スタートキー、取り消しキー、タイマーキー、予約キー、パンの調理コースなどを選択する選択キー等が含まれる。調理コースには、例えば、米粒を出発原料に用いてパンを製造するコース、米粉を出発原料に用いてパンを製造するコース、小麦粉を出発原料に用いてパンを製造するコースなどが含まれる。表示部は、例えば、液晶表示パネル等によって構成され、時間、操作キー群によって設定された内容、エラー等を表示するものである。
【００２３】
機器本体１０の内部には、焼成室３０が設けられている。焼成室３０は、上面が開口した箱形状に形成されている。焼成室３０の内部には、パン生地、ケーキ、餅などの調理材料を収容する調理容器４０が着脱自在に収納される。
【００２４】
また、焼成室３０の内部には、図３に示すように、調理容器４０を加熱する加熱部の一例であるシーズヒータ３１と、焼成室３０内の温度を検知する温度検知部の一例である温度センサ３２とが設けられている。
【００２５】
シーズヒータ３１は、焼成室３０に収容された調理容器４０の下部を、隙間を空けて包囲するように配置されている。温度センサ３２は、焼成室３０内の平均的な温度を検知することができるように、シーズヒータ３１から少し離れた位置に配置されている。
【００２６】
焼成室３０の上面開口部は、機器本体１０の上部に設けられた蓋５０によって開閉される。蓋５０は、機器本体１０の上方後部（図３の右上側）に設けられたヒンジ部１０Ａに回動自在に取り付けられている。蓋５０は、蓋本体５１と、外蓋５２とを備えている。蓋本体５１には、グルテンやドライイーストなどの粉状の副材料を収容する副材料容器５３と、レーズン、ナッツなどの比較的体積の大きな副材料を収容する副材料容器５４とが取り付けられている。副材料容器５３，５４は、調理容器４０の上方に配置されている。外蓋５２は、副材料容器５３，５４の上部開口部を開閉可能に取り付けられている。
【００２７】
副材料容器５３の底壁は、開閉板５３ａで構成されている。開閉板５３ａは、副材料容器５３内の副材料を調理容器４０内に投入することができるように回動可能に構成されている。同様に、副材料容器５４の底壁は、開閉板５４ａで構成されている。開閉板５４ａは、副材料容器５４内の副材料を調理容器４０内に投入することができるように回動可能に構成されている。開閉板５３ａ，５４ａの開閉のタイミングは、後述する制御部９０により制御される。
【００２８】
また、焼成室３０の底壁３０ａの略中心部には、調理容器支持部１１が設けられている。調理容器支持部１１は、図４に示すように、略筒状に形成され、焼成室３０の底壁３０ａから下方に離れるに従って、内径が段階的に小さくなるように形成されている。調理容器支持部１１の外周面の下端部には、ベアリング１２を介して第１のプーリ６１が設けられている。
【００２９】
調理容器支持部１１の下部の中心穴には、略円筒形の第３のワンウェイクラッチ１３が設けられている。第３のワンウェイクラッチ１３の内側には、略円筒形の本体側練り軸１６Ａが垂直方向に延在するように設けられている。第３のワンウェイクラッチ１３は、本体側練り軸１６Ａの正方向（例えば、時計回り）の回転を許容する一方、本体側練り軸１６Ａの逆方向（例えば、反時計回り）の回転を規制するように構成されている。
【００３０】
本体側練り軸１６Ａの外周下部には、第２のワンウェイクラッチ１５が設けられている。第２のワンウェイクラッチ１５は、第１のプーリ６１と係合するように設けられている。第２のワンウェイクラッチ１５は、第１のプーリ６１が正方向に回転するとき、本体側練り軸１６Ａを正方向に回転させる一方、第１のプーリ６１が逆方向に回転するとき、本体側練り軸１６Ａが逆方向に回転しないように本体側練り軸１６Ａの回転を規制するように構成されている。
【００３１】
本体側練り軸１６Ａの内部には、略円柱状の本体側ミル軸１４Ａが垂直方向に延在するように設けられている。本体側ミル軸１４Ａは、本体側練り軸１６Ａに対して相対回転可能に設けられている。本体側ミル軸１４Ａの下端部には、第２のプーリ６２が固定されている。
【００３２】
また、焼成室３０の外側であって機器本体１０の内部には、モータの一例であるインバータモータ７０が設けられている。インバータモータ７０は、出力軸７１の単位時間当たりの回転数及び回転方向（正方向、逆方向）を自在に変更することができるモータである。
【００３３】
インバータモータ７０の出力軸７１の外周上部には、第３のプーリ６３が固定されている。第３のプーリ６３と第１のプーリ６１には、第１のベルト６５が架け回されている。インバータモータ７０が駆動されて出力軸７１が回転するとき、当該出力軸７１の回転力は、第３のプーリ６３、第１のベルト６５を介して第１のプーリ６１に伝達される。
【００３４】
また、インバータモータ７０の出力軸７１の外周下部には、ベアリング６７を介して第４のプーリ６４が設けられている。第４のプーリ６４と第２のプーリ６２には、第２のベルト６６が架け回されている。
【００３５】
また、インバータモータ７０の出力軸７１の外周面において第３のプーリ６３と第４のプーリ６４との間には、第１のワンウェイクラッチ６８が設けられている。第１のワンウェイクラッチ６８は、出力軸７１が逆方向に回転するとき、第４のプーリ６４を逆方向に回転させる一方、出力軸７１が正方向に回転するとき、第４のプーリ６４が正方向に回転しないように第４のプーリ６４の回転を規制する。
【００３６】
また、本体側ミル軸１４Ａの上端部には、本体側コネクタ１７Ａが固定されている。本体側コネクタ１７Ａは、略円柱形の容器側ミル軸１４Ｂの下端部に固定された容器側コネクタ１７Ｂと係合可能に構成されている。本体側コネクタ１７Ａと容器側コネクタ１７Ｂとが係合した状態で、本体側ミル軸１４Ａが回転したとき、容器側ミル軸１４Ｂが回転する。
【００３７】
また、本体側練り軸１６Ａの上端部には、係合片１６Ａａが設けられている。係合片１６Ａａは、略円筒形の容器側練り軸１６Ｂの下端部に固定された係合片１６Ｂａと係合可能に構成されている。本体側練り軸１６Ａが回転するとき、係合片１６Ａａが係合片１６Ｂａに係合し、容器側練り軸１６Ｂが回転する。
【００３８】
容器側ミル軸１４Ｂは、容器側練り軸１６Ｂの内側に円筒形の軸受け１８を介して設けられている。容器側ミル軸１４Ｂと容器側練り軸１６Ｂとは、調理容器４０が焼成室３０内にセットされたとき、調理容器４０の底部の中心部に設けられた貫通穴を通じて調理容器４０内に突出するように設けられている。
【００３９】
調理容器４０の底部には、図３に示すように、有底筒状の凹部４１が形成されている。また、調理容器４０の底部外面には、容器側練り軸１６Ｂを取り囲むように筒状の台座４２が設けられている。調理容器４０は、台座４２が調理容器支持部１１に載置され、本体側コネクタ１７Ａと容器側コネクタ１７Ｂとが係合されることで焼成室３０内にセットされる。一方、調理容器４０は、本体側コネクタ１７Ａと容器側コネクタ１７Ｂとの係合が外されることで、焼成室３０内から取り外すことができる。なお、台座４２は、調理容器４０とは別に形成してもよいし、調理容器４０と一体的に形成してもよい。
【００４０】
容器側ミル軸１４Ｂ及び容器側練り軸１６Ｂの調理容器４０の内部に突出する部分には、羽根ユニット８０が着脱自在に取り付けられている。
【００４１】
羽根ユニット８０は、キャップ８１と、ミル羽根８２と、ドーム状カバー８３と、練り羽根８４と、セーフティカバー８５とを備えている。
【００４２】
キャップ８１は、容器側ミル軸１４Ｂの先端部に着脱自在に設けられている。ミル羽根８２は、キャップ８１の外周面から外方に突出するように設けられている。
【００４３】
ミル羽根８２は、米粒などの穀物粒を粉砕して製パン原料を製造するための羽根である。調理容器４０が焼成室３０内にセットされるとともにキャップ８１が容器側ミル軸１４Ｂに取り付けられた状態において、ミル羽根８２は、概ね調理容器４０の凹部４１内に位置するように設けられている。ミル羽根８２の具体的構成や好ましい形状等については、後で詳しく説明する。
【００４４】
ドーム状カバー８３は、ミル羽根８２を上方から覆うように形成されている。ドーム状カバー８３には、図５及び図６に示すように、ドーム状カバー８３の内側の空間とドーム状カバー８３の外側の空間とを連通する複数の窓部８３ａが設けられている。ミル羽根８２の回転により製造された製パン原料は、複数の窓部８３ａを通じてドーム状カバー８３の内側の空間とドーム状カバー８３の外側の空間に排出される。
【００４５】
練り羽根８４は、ドーム状カバー８３の外面に垂直方向に立設するように設けられている。練り羽根８４は、調理容器４０内の製パン原料を混練してパン生地を製造するための羽根である。練り羽根８４の具体的構成や好ましい形状等については、後で詳しく説明する。
【００４６】
セーフティカバー８５は、ドーム状カバー８３の下端部に取り付けられ、ミル羽根８２を下方から覆うように形成されている。また、セーフティカバー８５は、その一部が容器側練り軸１６Ｂの内面に嵌合するように、容器側練り軸１６Ｂに取り付けられている。容器側練り軸１６Ｂが回転するとき、セーフティカバー８５、ドーム状カバー８３、及び練り羽根８４が一体的に回転する。調理容器４０が焼成室３０内にセットされるとともにセーフティカバー８５が容器側練り軸１６Ｂに取り付けられた状態において、ミル羽根８２は、概ね調理容器４０の凹部４１よりも上方に位置するように設けられている。また、セーフティカバー８５には、調理容器４０内に入れられた米粒や水などの材料をドーム状カバー８３内に取り込むための開口部（図示せず）が設けられている。
【００４７】
また、機器本体１０の操作部２０の下方には、各部の駆動を制御する制御部９０が設けられている。制御部９０には、複数の調理コースに対応する調理シーケンスが記憶されている。調理シーケンスとは、浸水、ミル、冷却、練り、発酵、焼成などの各製造工程を順に行うにあたって、各製造工程においてシーズヒータ３１の通電時間、温調温度、インバータモータ７０の回転方向、回転速度、開閉板５３ａ，５４ａの開閉のタイミングなどが予め決められている調理の手順のプログラムをいう。制御部９０は、操作部２０にて選択された特定の調理コースに対応する調理シーケンスと温度センサ３２の検知温度に基づいて、インバータモータ７０、シーズヒータ３１、開閉板５３ａ，５４ａの駆動を制御する。
【００４８】
次に、図６を用いて、インバータモータ７０の出力軸７１が正方向に回転されたときの動作について説明する。図６は、インバータモータ７０に関連する部品の構成を示す断面図である。図６において、斜線部は、正方向に回転する部品を示している。
【００４９】
図６に示すように、インバータモータ７０の出力軸７１が正方向に回転されたとき、当該出力軸７１の回転力が、第３のプーリ６３及び第１のワンウェイクラッチ６８に伝達され、これらの部品が正方向に回転する。
【００５０】
第３のプーリ６３の回転力は、第１のベルト６５、第１のプーリ６１、第２のワンウェイクラッチ１５に伝達され、これらの部品が正方向に回転する。第２のワンウェイクラッチ１５は、第１のプーリ６１が正方向に回転するので、本体側練り軸１６Ａを正方向に回転させる。このとき、第３のワンウェイクラッチ１３は、本体側練り軸１６Ａの正方向の回転を許容する。本体側練り軸１６Ａの回転力は、容器側練り軸１６Ｂ、セーフティカバー８５、ドーム状カバー８３、及び練り羽根８４に伝達され、これらの部品が正方向に回転する。
【００５１】
一方、第１のワンウェイクラッチ６８は、出力軸７１が正方向に回転するので、第４のプーリ６４が正方向に回転しないように第４のプーリ６４の回転を規制する。
【００５２】
すなわち、インバータモータ７０の出力軸７１が正方向に回転されたときは、練り羽根８４が正方向に回転する一方で、ミル羽根８２は回転しないようになっている。
【００５３】
次に、図７を用いて、インバータモータ７０の出力軸７１が逆方向に回転されたときの動作について説明する。図７は、インバータモータ７０に関連する部品の構成を示す断面図である。図７において、斜線部は、逆方向に回転する部品を示している。
【００５４】
図７に示すように、インバータモータ７０の出力軸７１が逆方向に回転されたとき、当該出力軸７１の回転力が、第３のプーリ６３及び第１のワンウェイクラッチ６８に伝達され、これらの部品が逆方向に回転する。
【００５５】
第３のプーリ６３の回転力は、第１のベルト６５、第１のプーリ６１、第２のワンウェイクラッチ１５に伝達され、これらの部品が逆方向に回転する。第２のワンウェイクラッチ１５は、第１のプーリ６１が逆方向に回転するので、本体側練り軸１６Ａが逆方向に回転しないように本体側練り軸１６Ａの回転を規制する。
【００５６】
一方、第１のワンウェイクラッチ６８は、出力軸７１が逆方向に回転するので、第４のプーリ６４を逆方向に回転させる。この第４のプーリ６４の回転力は、第２のベルト６６、第２のプーリ６２、本体側ミル軸１４Ａ、容器側ミル軸１４Ｂ、キャップ８１、ミル羽根８２に伝達され、これらの部品が逆方向に回転する。なお、このとき、第３のワンウェイクラッチ１３は、本体側ミル軸１４Ａの回転力により、本体側練り軸１６Ａが逆方向に回転（いわゆる、共回り）することを規制する。
【００５７】
すなわち、インバータモータ７０の出力軸７１が逆方向に回転されたときは、ミル羽根８２が逆方向に回転する一方で、練り羽根８４は回転しないようになっている。
【００５８】
なお、本実施形態において、第１のプーリ６１は、第２〜第４のプーリ６２〜６４に比べて大きな直径を有するように構成されている。これにより、インバータモータ７０の出力軸７１の回転速度に対する練り羽根８４の回転速度を低速（例えば、２５０ｒｐｍ）にするとともに、高トルクが得られるようにしている。また、練り羽根８４の回転速度に対するミル羽根８２の回転速度を高速（例えば、４０００ｒｐｍ）にするようにしている。
【００５９】
なお、本実施形態において、「ミル軸」は、本体側コネクタ１７Ａと容器側コネクタ１７Ｂとが係合されることにより連結された本体側ミル軸１４Ａと容器側ミル軸１４Ｂとにより構成されている。また、「練り軸」は、係合片１６Ａａと係合片１６Ｂａとが係合されることにより連結された本体側練り軸１６Ａと容器側練り軸１６Ｂとにより構成されている。また、ミル羽根８２の回転中心となるミル軸の中心軸と、練り羽根８４の回転中心となる練り軸の中心軸とは、同一軸上に位置するように設けられている。
【００６０】
また、本実施形態において、「駆動力切換部」は、ベアリング１２，６７、第１〜第４のプーリ６１〜６４、第１及び第２のベルト６５，６６、第１〜第３のワンウェイクラッチ６８，１５，１３により構成されている。「駆動力切換部」は、ミル軸及び練り軸へのモータ７０の回転駆動力の伝達経路を切り換えるものである。
【００６１】
次に、図８、図９Ａ〜図９Ｃを用いて、ミル羽根８２の好ましい形状等について説明する。図８は、ドーム状カバー８３に対するミル羽根８２の相対位置を示す底面図である。図９Ａはミル羽根８２の斜視図であり、図９Ｂ及び図９Ｃはミル羽根８２の側面図である。
【００６２】
図８に示すように、ミル羽根８２の両端部は、穀物粒を切るのではなく、すり潰すように形成されている。具体的には、ミル羽根８２の両端部は、平面視においてドーム状カバー８３の内周端部に沿うように、一定の長さのすり潰し領域８２Ａを有するように形成されている。これにより、穀物粒を効率良く製パン原料にすることができ、ミル羽根８２の回転速度を低下させることができる。その結果、穀物粒を製パン原料にする際、すなわちミルする際に発生する音を低減することができる。
【００６３】
また、ミル羽根８２の両端部のエッジは、波形状に形成されている。これにより、当該エッジと穀物粒との接触面積を増やし、穀物粒のすり潰し効果を向上させることができる。また、好ましくは、ミル羽根８２の両端部のエッジは、正弦波状（曲線で構成される波状）に形成される。これにより、ユーザがミル羽根８２に触れることにより、ユーザの指が切れることを抑えることができる。
【００６４】
また、ミル羽根８２の両端部のエッジは、一定の厚さ（例えば、１．５ｍｍ）を有する（すなわち、刃先を有しない）ように構成されている。これにより、ユーザがミル羽根８２に触れることにより、ユーザの指が切れることをより一層抑えることができる。また、当該エッジと穀物粒との接触面積を増やし、穀物粒のすり潰し効果を向上させることができる。また、ミル羽根８２の全体としての強度を確保することができる。なお、ミル羽根８２は、エッジを含めて均一な厚さに構成されてもよい。
【００６５】
また、ミル羽根８２の両端部は、図９Ｂ及び図９Ｃに示すように、正面から見て互いに逆方向に傾斜している。具体的には、ミル羽根８２の両端部は、ミル羽根８２の回転方向の下流側（最初に米粒に衝突する側）に位置する部分が、その上流側に位置する部分よりも下方に位置するように傾斜している。また、ミル羽根８２の両端部の水平面に対する傾斜角度は、従来よりも大きく、例えば１３度とされている。これにより、穀物粒を効率良く製パン原料にすることができ、ミル羽根８２の回転速度をより一層低下させることができる。その結果、穀物粒を製パン原料にする際、すなわちミルする際に発生する音をより一層低減することができる。
【００６６】
なお、本実施形態では、ミル羽根８２の両端部のエッジを波形状に形成したが、本発明はこれに限定されない。例えば、ミル羽根８２の両端部のエッジは曲線状であってもよい。なお、図１０は、エッジを曲線状としたミル羽根８２により穀物粒を粉砕する際に、ミル羽根８２にかかる応力を示す図である。図１１は、従来の刃先を有するミル羽根により穀物粒を粉砕する際に、当該ミル羽根にかかる応力を示す図である。図１０及び図１１より、エッジを曲線状としたミル羽根８２の方が、従来のミル羽根よりも穀物粒に対してより大きな力を加えられることが分かる。
【００６７】
次に、図１２〜図１５を用いて、練り羽根８４の好ましい形状等について説明する。図１２は、ドーム状カバー８３に対する練り羽根８４の相対位置を示す上面図である。図１３は、練り羽根８４の側面図である。図１４は、練り羽根８４と調理容器４０との相対位置を示す上面図である。図１５は、図１２における練り羽根８４のＡ−Ａ断面図である。
【００６８】
図１２、１３に示すように、ドーム状カバー８３と一体形成される練り羽根８４は、ドーム状カバー８３の中心Ｃからではなく、ドーム状カバー８３の中心Ｃから離れた位置を支点Ｆとして外側に向かって延びている（すなわち、練り羽根８４の支点Ｆから離れる方向に伸びる）。本実施形態では、練り羽根８４の支点Ｆは、ドーム状カバー８３の中心Ｃから約８ｍｍ離れた位置に配置されている。図１２における練り羽根８４の回転方向Ｒは時計回りである。
【００６９】
図１３に示すように、練り羽根８４は、第１の壁１０５と、第１の壁１０５から外側に伸びる第２の壁１０３とを備える。第１の壁１０５は、練り羽根８４の支点Ｆから外側に向かって上方に延びる第１の傾斜部１００と、第１の傾斜部１００から外側に向かって水平に延びる頂部１０１と、頂部１０１から外側に向かって下方に延びる第２の傾斜部１０２とを備える。本実施形態における第１の傾斜部１００は、水平方向に対する傾斜角度が上方にいくほど大きくなる。具体的には、第１の傾斜部１００は直線形状ではなく放物線状の曲線形状を有する。第１の傾斜部１００の上方には空間部１０４が形成されている。空間部１０４は、頂部１０１の高さ位置Ｈと第１の傾斜部１００とで囲まれた部分であり、概ね楕円を４等分した形状を有している。一方で、本実施形態における第２の傾斜部１０２は、略直線状に形成されている。水平方向に対する第２の傾斜部１０２の傾斜角度は４５度〜５０度に設定される。
【００７０】
上述したように、練り羽根８４の第１の壁１０５は、頂部１０１とその両側に傾斜部１００、１０２を有した上方に凸となる山形状に形成されている。
【００７１】
図１２、１３に示すように、第１の壁１０５の外側（練り羽根８４の端部分）に形成された第２の壁１０３は、第１の壁１０５から練り軸１６Ａ、１６Ｂ（図４）とは反対側に延在して、練り羽根８４の回転方向Ｒとは逆方向（反時計方向）に折れ曲がっている。
【００７２】
図１４に示すように、練り羽根８４およびドーム状カバー８３は、調理容器４０内の底面に配置される。ドーム状カバー８３の中心Ｃは、調理容器４０の中心と略一致する。調理容器４０内の対向する内壁面１０７には一対の突起部１０８が設けられている。突起部１０８は、練り羽根８４との間にてパン生地を練るための突起である。本実施形態では、練り羽根８４が回転する際の先端の軌跡Ｔと突起部１０８との距離は３ｍｍに設定されている。
【００７３】
図１５は、図１２における練り羽根８４のＡ−Ａ断面図であって、練り羽根８４の実寸の一例を示す。本実施形態では、練り羽根８４の第１の壁１０５の外向き方向の長さは４１ｍｍである。ここでの外向き方向の長さとは、練り羽根８４が調理容器４０に向かって外側に延在する方向に沿った長さのことである。第１の壁１０５の外向き方向の長さのうち、第１の傾斜部１００が占める長さは１７ｍｍであり、頂部１０１が占める長さは９ｍｍであり、第２の傾斜部１０２が占める長さは１５ｍｍである。本実施形態では、練り羽根８４の第１の壁１０５の外向き方向の長さ（４１ｍｍ）のうち、第１の傾斜部１００が占める長さ（１７ｍｍ）の割合と、第２の傾斜部１０２が占める長さ（１５ｍｍ）の割合をそれぞれ１／３以上となるように設定している（１５／４１、１７／４１）。
【００７４】
また、第２の壁１０３の長さは１０．８ｍｍである。よって、練り羽根８４の外向き方向の全体の長さは５１．８ｍｍである（４１＋１０．８）。本実施形態では、練り羽根８４の外向き方向の長さ（５１．８ｍｍ）のうち、第２の壁１０３が占める長さ（１０．８ｍｍ）の割合を１／４以下としている（１０．８／５１．８）。その他の長さについては、説明を省略する。なお、ここで例示した実寸は一例に過ぎず、その他の長さを採用しても良い。
【００７５】
このように構成される練り羽根８４の動作および作用について、以下に説明する。
【００７６】
調理容器４０内にパン生地が入った状態で練り羽根８４が動作されると、ドーム状カバー８３の中心Ｃを回転中心として練り羽根８４が回転方向Ｒ（図１２、１４）へ回転される。練り羽根８４が回転すると、練り羽根８４の第１の壁１０５がパン生地に接触し、パン生地を調理容器４０の内壁面１０７に向かって外側へ押しやるように作用する。外側へ押しやられたパン生地は、練り羽根８４の第２の壁１０３に案内されるとともに、第２の壁１０３の先端（練り羽根８４の先端）と、調理容器４０の内壁面１０７（特に突起部１０８）との隙間に入り込み、その隙間にて練り羽根８４の回転に応じて伸ばされながら練られる。このように、練り羽根８４の回転によりパン生地を伸ばしながら練ることができる。ここで、第２の壁１０３は練り羽根８４の回転方向Ｒとは逆方向に折れ曲がっているため、パン生地をより外側に案内して伸ばすことができる。
【００７７】
また、練り羽根８４における第１の傾斜部１００の上方に空間部１０４（図１３）が形成されているため、パン生地がドーム状カバー８３の中心Ｃ近傍にある場合などには、パン生地は第１の傾斜部１００を乗り越えるように空間部１０４を通過することができる。パン生地が空間部１０４を通過して回転方向Ｒの下流側へ移動することにより、パン生地を回転させることができる。
【００７８】
上述したように、パン生地を練り羽根８４の先端部と調理容器４０の内壁面１０７および突起部１０８との間で伸ばして練るとともに、空間部１０４を設けることによってパン生地を回転させながら練ることができる。このような動作を繰り返すことにより、パン生地の回転および伸ばしといった練り動作を繰り返し行うことができるため、パン生地を効率的に練り込むことができる。これにより、レーズンやナッツなどの副材料をパン生地に効果的に均一に練り込むことができる。このように効率的に練り込まれたパン生地は成形工程で丸く纏まるため、見栄えを安定させることができる。
【００７９】
また本実施形態では、練り羽根８４の第１の壁１０５の外向き方向の長さのうち、第１の傾斜部１００と第２の傾斜部１０２が占める長さの割合をそれぞれ１／３以上となるように設定している。このような設定により、パン生地の伸ばしと回転をバランス良く行うことができ、より効率的にパン生地を練ることができる。
【００８０】
また本実施形態では、空間部１０４を形成する第１の傾斜部１００を曲線状に形成しているため、空間部１０４を通過する際にパン生地を傷付けることなく回転させることができる。さらに、第１の傾斜部１００を、上方に行くほど水平方向に対する傾斜が大きくなる放物線状に形成することにより、空間部１０４の空間を広く確保することができるため、パン生地をより空間部１０４に案内することができ、パン生地の回転を促進することができる。よって、パン生地をより効率的に練ることができる。
【００８１】
また本実施形態では、練り羽根８４の外向き方向の長さのうち、第２の壁１０３が占める長さの割合を１／４以下としている。これにより、パン生地の伸ばしと回転をバランス良く行うことができ、より効率的にパン生地を練ることができる。
【００８２】
なお、本実施形態では、練り羽根８４の支点Ｆをドーム状カバー８３の中心Ｃ（練り羽根８４の回転中心）からずれた位置から延在する場合について説明したが、このような場合に限らず例えば、ドーム状カバー８３の中心Ｃと一致させても良い。
【００８３】
次に、図１６を用いて、本実施形態にかかる自動製パン機１によって実行される米粒用製パンコースの流れの一例を説明する。図１６は、本実施形態にかかる自動製パン機１によって実行される米粒用製パンコースの流れを示す模式図である。図１６に示すように、米粒用製パンコースにおいては、浸水工程と、ミル工程と、冷却工程と、練り（捏ね）工程と、発酵工程と、焼成工程とが順次に実行される。
【００８４】
米粒用製パンコースを開始するにあたって、ユーザは、以下の動作を行う。
【００８５】
まず、ユーザは、容器側ミル軸１４Ｂにキャップ８１を取り付けるとともに、セーフティカバー８５の一部を容器側練り軸１６Ｂの内面に嵌合させる。これにより、羽根ユニット８０が、図３に示すように、調理容器４０内にセットされる。
【００８６】
その後、ユーザは、米粒、水、調味料（例えば、食塩、砂糖、ショートニング）等の主材料を調理容器４０内に入れるとともに、パンの製造工程の途中で自動投入するドライイースト、グルテン、ナッツなどの副材料を副材料容器５３，５４に入れる。
【００８７】
その後、ユーザは、調理容器４０を焼成室３０内にセットし、蓋５０により焼成室３０の上面開口部を閉じる。その後、ユーザは、操作部２０によって米粒用製パンコースを選択し、スタートキーを押す。これにより、制御部９０が、米粒を出発原料に用いてパンを製造する米粒用製パンコースの制御動作を開始する。
【００８８】
米粒用製パンコースがスタートされると、制御部９０の指令によって浸水工程が開始される。浸水工程は、米粒に水を含ませることによって、その後に行われるミル工程において、米粒を芯まで粉砕しやすくするための工程である。浸水工程では、調理容器４０に予め投入された主材料の静置状態が所定時間（本実施形態では３０分）維持される。
【００８９】
浸水工程の開始から所定時間が経過すると、制御部９０の指令によって浸水工程が終了され、ミル工程が開始される。ミル工程は、調理容器４０内に入れられた米粒を粉砕して製パン原料を製造する工程である。ミル工程において、制御部９０は、インバータモータ７０を制御して出力軸７１を逆方向に回転させ、図７を用いて上述したように、米粒と水とが含まれる混合物の中でミル羽根８２を回転（例えば、４０００ｒｐｍ）させる。これにより、米粒が粉砕される。
【００９０】
粉砕された米粒と水とが含まれる混合物は、ドーム状カバー８３の複数の窓部８３ａを通じてドーム状カバー８３の外側の空間に排出される。これに伴い、調理容器４０の凹部４１内の米粒と水とを含む混合物がセーフティカバー８５に設けられた開口部（図示せず）からドーム状カバー８３の内側の空間に取り込まれる。このようにして、次々に米粒がミル羽根８２によって粉砕され、その結果、ペースト状の粉砕粉を含む製パン原料が製造される。
【００９１】
なお、ミル羽根８２と衝突する米粒の大きさが大きいときは、大きな衝突音が発生する。このため、制御部９０は、ミル工程の開始から所定時間（例えば、５分間）は、ミル羽根８２を低速回転させ、その後、ミル羽根８２を高速回転させるようにインバータモータ７０を制御することが好ましい。これにより、ミル工程における大きな衝突音の発生を抑えることができる。
【００９２】
ミル工程の開始から所定時間（本実施形態では７０分）経過すると、制御部９０の指令によってミル工程が終了され、冷却工程が開始される。冷却工程は、ミル工程によって上昇した調理容器４０内の製パン原料の温度を、ドライイーストが活発に働く温度（例えば、３０℃前後）まで下げる工程である。冷却工程において、制御部９０は、インバータモータ７０の駆動を停止させる。
【００９３】
冷却工程の開始から所定時間（本実施形態では３２分）経過すると、制御部９０の指令によって冷却工程が終了され、練り工程が開始される。練り工程は、製パン原料にドライイースト、グルテン、ナッツなどの副材料を投入し、これらを混練して、パン生地を製造する工程である。練り工程において、制御部９０は、開閉板５３ａ，５４ａを開放して調理容器４０内に副材料を投入するとともに、インバータモータ７０を制御して出力軸７１を正方向に回転させ、図６を用いて上述したように、製パン原料と副材料とが含まれる混合物の中で練り羽根８４を低速回転（例えば、２５０ｒｐｍ）させる。これにより、製パン原料と副材料とが含まれる混合物が混練され、所定の弾力を有するパン生地が製造される。
【００９４】
なお、練り工程の間、練り羽根８４を同じ速度で継続して回転させると、特に製パン原料と副材料とが含まれる混合物の混練が進んでいない練り工程の初期において、製パン原料や副材料が調理容器４０の外側に飛び散るおそれがある。このため、制御部９０は、図１７に示すように、練り工程が進むに連れて練り羽根８４の回転数が徐々に増加するようにインバータモータ７０を制御することが好ましい。これにより、練り工程において、製パン原料や副材料が調理容器４０の外側に飛び散ることを抑えることができる。
【００９５】
練り工程の開始から所定時間（本実施形態では２３分）経過すると、制御部９０の指令によって練り工程が終了され、発酵工程が開始される。発酵工程は、パン生地を発酵させる工程である。発酵工程において、制御部９０は、シーズヒータ３１を制御して、焼成室３０の温度を、発酵が進む温度（例えば、３８℃）に維持する。
【００９６】
発酵工程の開始から所定時間（本実施形態では７５分）経過すると、制御部９０の指令によって発酵工程が終了され、焼成工程が開始される。焼成工程は、発酵したパン生地を焼成してパンを焼き上げる工程である。焼成工程において、制御部９０は、シーズヒータ３１を制御して、焼成室３０の温度を、パン焼きを行うのに適した温度（例えば、１２５℃）まで上昇させる。
【００９７】
焼成工程の開始から所定時間（本実施形態では４０分）経過すると、制御部９０の指令によって焼成工程が終了される。これにより、全ての製パン工程が終了する。全ての製パン工程が終了したことは、例えば、操作部２０の液晶パネルの表示や報知音などにより、ユーザに知らされる。
【００９８】
本実施形態にかかる自動製パン機１によれば、単一のインバータモータ７０によりミル羽根８２と練り羽根８４の両方を回転させるようにしているので、モータを２つ備える従来の自動製パン機よりも装置の小型化を実現することができる。
【００９９】
また、本実施形態にかかる自動製パン機１によれば、駆動力切換部として機能するベアリング１２，６７、第１〜第４のプーリ６１〜６４、第１及び第２のベルト６５，６６、第１〜第３のワンウェイクラッチ６８，１５，１３を全て機器本体１０の内部であって焼成室３０の外部に設けているので、当該各部品に製パン原料等が詰まるなどの不具合を抑えることができる。これにより、インバータモータ７０の回転駆動力の伝達経路の切り換えをより確実に行うことができる。
【０１００】
また、本実施形態にかかる自動製パン機１によれば、モータとしてインバータモータ７０を用いているので、ミル羽根８２及び練り羽根８４の回転数を可変することができる。これにより、例えば、ミル工程の開始から所定時間はミル羽根８２を低速回転させることにより、ミル工程における大きな衝突音の発生を抑えることができる。
【０１０１】
また、本実施形態にかかる自動製パン機１によれば、インバータモータ７０の出力軸７１の回転方向に応じて、インバータモータ７０の回転駆動力をミル軸に伝達するか、練り軸かを切り換えるようにしているので、インバータモータ７０の回転駆動力の伝達経路の切り換えをより確実に行うことができる。
【０１０２】
また、本実施形態にかかる自動製パン機１によれば、練り軸１６Ａ，１６Ｂを中空管構造とし、当該練り軸の内部にミル軸１４Ａ，１４Ｂを設けるようにしている。これにより、より一層の装置の小型化を図ることができる。
【０１０３】
尚、本実施例では、穀物粒からパンを作る自動製パン機について説明したが、この種の自動製パン機に限定されるものではなく、粉状の材料からパンを作る通常の自動製パン機についても同様に実施することが可能である。特に練り羽根部分については通常の自動製パン機でも実施可能である。
【産業上の利用可能性】
【０１０４】
本発明にかかる自動製パン機は、パンを効率良く練ることが可能であるため、特に一般家庭で使用される自動製パン機として有用である。
【符号の説明】
【０１０５】
１    自動製パン機
１０    機器本体
１０Ａ  ヒンジ部
１１    調理容器支持部
１２    ベアリング
１３    第３のワンウェイクラッチ
１４Ａ  本体側ミル軸
１４Ｂ  容器側ミル軸
１５    第２のワンウェイクラッチ
１６Ａ  本体側練り軸
１６Ａａ  係合片
１６Ｂ  容器側練り軸
１６Ｂａ  係合片
１７Ａ  本体側コネクタ
１７Ｂ  容器側コネクタ
１８    軸受け
２０    操作部
３０    焼成室
３０ａ  底壁
３１    シーズヒータ（加熱部）
３２    温度センサ
４０    調理容器
４１    凹部
４２    台座
５０    蓋
５１    蓋本体
５２    外蓋
５３，５４    副材料容器
５３ａ，５４ａ    開閉板
６１    第１のプーリ
６２    第２のプーリ
６３    第３のプーリ
６４    第４のプーリ
６５    第１のベルト
６６    第２のベルト
６７    ベアリング
６８    第１のワンウェイクラッチ
７０    インバータモータ
７１    出力軸
８０    羽根ユニット
８１    キャップ
８２    ミル羽根
８２Ａ  すり潰し領域
８３    ドーム状カバー
８３ａ  窓部
８４    練り羽根
８５    セーフティカバー
９０    制御部
１００  第１の傾斜部
１０１  頂部
１０２  第２の傾斜部
１０３  第２の壁
１０４  空間部
１０５  第１の壁
１０７  内壁面
１０８  突起部
【図１】
2014087638.tif 000003
【図２】
2014087638.tif 000004
【図３】
2014087638.tif 000005
【図４】
2014087638.tif 000006
【図５】
2014087638.tif 000007
【図６】
2014087638.tif 000008
【図７】
2014087638.tif 000009
【図８】
2014087638.tif 000010
【図９Ａ】
2014087638.tif 000011
【図９Ｂ】
2014087638.tif 000012
【図９Ｃ】
2014087638.tif 000013
【図１０】
2014087638.tif 000014
【図１１】
2014087638.tif 000015
【図１２】
2014087638.tif 000016
【図１３】
2014087638.tif 000017
【図１４】
2014087638.tif 000018
【図１５】
2014087638.tif 000019
【図１６】
2014087638.tif 000020
【図１７】
2014087638.tif 000021